(57)【要約】      （修正有）【課題】直感的に複数種類の化粧料の塗布部位等を把握することができ、さらに、化粧料の収納スペースも制限を受けないメイクアップ化粧料容器を提供する。【解決手段】複数種類の化粧料を充填可能な収納部３１ａ〜ｃと、少なくとも収納部を被覆可能に形成された保護シートを備えたメイクアップ化粧料容器であって、保護シートの収納部を被覆する部分には、化粧料を適用する部位を象った視認部１３と、視認部を除く余白部分に形成された遮蔽部１４が設けられ、視認部は収納部内の化粧料を視認できるように形成され、遮蔽部は収納部内の化粧料が視認できないように、あるいは視認が困難なように形成されたことを特徴とする。視認部に化粧料の種類を表す文字情報１３１が記載されていることが好ましい。【選択図】図４
0003194237.tif 000002
【実用新案登録請求の範囲】
【請求項１】
複数種類の化粧料を充填可能な収納部と、少なくとも該収納部を被覆可能に形成された保護シートを備えたメイクアップ化粧料容器であって、該保護シートの収納部を被覆する部分には、化粧料を適用する部位を象った視認部と、該視認部を除く余白部分に形成された遮蔽部が設けられ、該視認部は収納部内の化粧料を視認できるように形成され、該遮蔽部は収納部内の化粧料が視認できないように、あるいは視認が困難なように形成されたことを特徴とするメイクアップ化粧料容器。
【請求項２】
前記視認部は、視認部を通して中皿に収納された化粧料が視認可能なように、透明（無色透明、有色透明）に形成されていることを特徴とする請求項１に記載のメイクアップ化粧料容器。
【請求項３】
前記遮蔽部は、遮蔽部を通して中皿に収納された化粧料が視認できないように、あるいは視認が困難なように、不透明もしくは半透明に形成されていることを特徴とする請求項１または２に記載のメイクアップ化粧料容器。
【請求項４】
前記中皿における複数種類の化粧料の配置が、各化粧料のそれぞれの使用部位に対応していることを特徴とする請求項１ないし３のいずれか１項に記載のメイクアップ化粧料容器。
【請求項５】
前記中皿における複数種類の化粧料の配置が、各化粧料のもっとも強調して塗布する部位に対応していることを特徴とする請求項１ないし３のいずれか１項に記載のメイクアップ化粧料容器。
【請求項６】
前記視認部に化粧料の種類を表す文字情報が記載されたことを特徴とする請求項１ないし５のいずれか１項に記載のメイクアップ化粧料容器。
【請求項７】
前記保護シートが、中皿を被覆する領域と、容器本体の塗布具収納部を被覆する領域を備えたことを特徴とする請求項１ないし６のいずれか１項に記載のメイクアップ化粧料容器。
【請求項８】
前記容器本体の塗布具収納部を被覆する領域には、化粧料塗布具を説明する文字情報及び模式図が記載されていることを特徴とする請求項７に記載のメイクアップ化粧料容器。
【考案の詳細な説明】
【技術分野】
【０００１】
本考案は、複数種類の化粧料を充填した中皿に被覆する保護シートを備えたメイクアップ化粧料容器に関するものである。
【背景技術】
【０００２】
従来、複数種類の化粧料、典型的には複数種類の色違いのメイクアップ化粧料を収納する化粧料容器において、それら複数の化粧料をそれぞれどの部位に使用するか、または、それらの使用順序などについては、説明書などを別途添付し、使用者に情報を提供していた。
【０００３】
また、種類が異なる化粧料が互いに混じり合ったりしないように、中皿の化粧料露出面を被覆する保護シートを装着するタイプの化粧料容器では、保護シートにかかる指示情報を記載する場合もあった（特許文献１、２）。
【０００４】
しかしながら、別途、説明書を添付するものは、いちいち説明書に照らし合わせて使用方法を確認する作業が煩雑であった。また、特許文献２の図８のように、保護シートに目の図柄と化粧料の使用部位を記載したものは、図柄に描かれた使用部位と中皿の収納部の配置が対応していないため、どの化粧料をどの部位に塗布すればよいか、保護シートの記載情報を逐一確認しながらでないとメイクアップを行うことができず、やはり、煩雑な作業となっていた。
【０００５】
さらに特許文献３には、まぶたの形状を模して化粧料の収納部を形成し、それぞれの化粧料の使用部位に応じて複数の収納部が配置された中皿が開示されているが、このものは、使用部位に収納部の形状を合わせることにより、実際の使用量に応じた化粧料を充填することができず、複数の化粧料のいずれかが中途半端に残ってしまうことがあった。さらに、収納部のまわりに化粧料を充填しないデッドスペースが多くなり、化粧料容器の大きさに比して収納スペースが制限されていた。
【先行技術文献】
【特許文献】
【０００６】
【特許文献１】特開２００８−１５４６４２
【特許文献２】特開２０１４−１０８３２０
【特許文献３】意匠登録第１３６３８２５号
【考案の概要】
【考案が解決しようとする課題】
【０００７】
そこで本考案は、説明書等によることなく、直感的に複数種類の化粧料の塗布部位等を把握することができ、さらに、化粧料の収納スペースも制限を受けないメイクアップ化粧料容器を提供することをその課題とするものである。
【課題を解決するための手段】
【０００８】
本考案は、上記課題を解決するものであり、複数種類の化粧料を充填可能な収納部と、少なくとも該収納部を被覆可能に形成された保護シートを備えたメイクアップ化粧料容器であって、該保護シートの収納部を被覆する部分には、化粧料を適用する部位を象った視認部と、該視認部を除く余白部分に形成された遮蔽部が設けられ、該視認部は収納部内の化粧料を視認できるように形成され、該遮蔽部は収納部内の化粧料が視認できないように、あるいは視認が困難なように形成されたことを特徴とするメイクアップ化粧料容器である。
【考案の効果】
【０００９】
本考案に係るメイクアップ化粧料容器は、化粧料収納部を被覆可能に形成された保護シートに、化粧料を適用する部位を象った視認部と、視認部を除く余白部分に遮蔽部を設け、視認部からは収納部内の化粧料が視認可能となっている。そして、複数種類の化粧料が、各化粧料のそれぞれの使用部位に対応して配置されているものは、保護シートの視認部と化粧料の配置が相俟って、説明書などによることなく、使用者は直感的に化粧料の適用部位などの情報を把握することができる。
【００１０】
また、本考案に係るメイクアップ化粧料容器であって、複数種類の化粧料が、化粧料をもっとも強調して塗布する部位に対応するように配置されているものは、保護シートの視認部と化粧料の配置が相俟って、使用者は直感的に化粧料のもっとも強調して塗布する部位などの情報を把握することができる。
【００１１】
さらに、本考案に係るメイクアップ化粧料容器で、保護シートに化粧料の種類を表す文字情報や化粧料塗布具を説明する文字情報及び模式図が記載されたものは、前記の視認部や化粧料の配置と相俟って、使用者は適切な化粧料や塗布具を選択することができる。
【００１２】
さらに、本考案に係るメイクアップ化粧料容器は、保護シートに視認部を設けることにより収納部自体の形状は制限されないため、デッドスペースなどが生じることなく、化粧料の収納スペースが犠牲となることがない。
【図面の簡単な説明】
【００１３】
【図１】本考案に係るメイクアップ化粧料容器の斜視図
【図２】本考案に係るメイクアップ化粧料容器の保護シートの平面図。
【図３】本考案に係るメイクアップ化粧料容器の容器本体部分の蓋部を開いた状態の平面図。
【図４】本考案に係るメイクアップ化粧料容器の容器本体部分に蓋部を開いた状態で保護シートを載置した状態の平面図。
【図５】（ａ）本考案に係る異なる実施態様の保護シートの平面図、（ｂ）同保護シートを中皿に載置した状態を表す平面図、（ｃ）本考案に係る異なる実施態様の中皿の平面図
【図６】（ａ）本考案に係る異なる実施態様の保護シートの平面図、（ｂ）同保護シートを中皿に載置した状態を表す平面図、（ｃ）本考案に係る異なる実施態様の中皿の平面図
【考案を実施するための形態】
【００１４】
以下、本考案のメイクアップ化粧料容器を、図面に基づいて具体的に説明する。なお、本考案はこれら実施態様に何ら制約されるものではない。
【００１５】
図１に示すように、本考案のメイクアップ化粧料容器は、凹状に形成された中皿収納部２１及び塗布具収納部２２を備えた容器本体２と、該容器本体２に開閉自在に設けられた蓋部２３と、中皿収納部２１内に収納された中皿３と、少なくとも中皿３を被覆可能に形成された保護シート１を備える。
【００１６】
容器本体２には、使用者側から見て奥側に中皿収納部２１が、また、手前側に塗布具収納部２２が設けられ、中皿収納部２１には化粧料を充填した中皿３が嵌合されている。また、塗布具収納部２２にはブラシやチップ等を備えた複数の化粧料塗布具４が収納されている。本実施態様において、中皿３には３種類の化粧料が３箇所の収納部３１ａ、３１ｂ、３１ｃにそれぞれ収納されているが、化粧料の種類については、複数であればその数は特に限定されない。本実施態様では、収納部３１ａには「ハリツヤベース」が、収納部３１ｂには「スキンクリアカラー」が、収納部３１ｃには「シャドウライナー」がそれぞれ収納されている。
【００１７】
図３に示すように、中皿３の収納部３１ａ、３１ｂ、３１ｃは仕切壁３２により互いに仕切られている。かかる仕切壁３２は直線状に設けてもよいが、図のように曲線状にすることで、保護シート１を上に載置したときに化粧料がより立体的に見えるとともに、意匠的にも美観が向上して好ましい。そして、各収納部３１は、正方形、矩形、円形、楕円形等の一般的な形状を採用することができるため、中皿３において収納部３１の周りにデッドスペースができず、化粧料の収納スペースが犠牲にされることがない。
【００１８】
収納部３１ａ、３１ｂ、３１ｃのそれぞれの配置、すなわち、中皿３における各化粧料の配置については、各化粧料の実際の使用部位に対応して配置することが好ましく、それにより使用時に各化粧料の塗布部位を容易に把握することができる。例えば、本実施態様において、収納部３１ａに充填された化粧料の使用部位は適用部分（本実施態様ではまぶた）の上部、収納部３１ｂの化粧料は適用部分の中央部、収納部３１ｃの化粧料は適用部分の下部とすることが好ましい。このような各化粧料の使用部位については、後述するように、保護シート１との組み合わせにより使用者に適切に指示を与えられる。
【００１９】
また、油性化粧料のように、仕切壁を設けることなく１箇所の収納部内に複数種類の化粧料を充填することが出来る場合は、収納部３１を１箇所としても良い。収納部３１を１箇所とする場合、収納部３１内において複数種類の化粧料を使用部位に対応する配置で充填することが好ましい。収納部３１への化粧料の充填方法は、化粧料の種類（粉末固形化粧料、油性化粧料等）に応じて、公知の方法を適宜選択することができる。
【００２０】
図２は本発明にかかる保護シート１の平面図である。本実施態様の保護シート１は、蓋部２３を開けた状態で容器本体２上に載置されたときに、中皿収納部２１に収納された中皿３を被覆する領域１１と、塗布具収納部２２を被覆する領域１２を備え、該領域１１の上部からは、保護シート１を容器本体２に取り付けるための差込片１１１が折線１１２で折り曲げ可能に連接されている。また、領域１２の下部には、容器本体２の係止部２４を露出させるための凹部１２１が切り欠き形成されている。なお、領域１１と領域１２の相対的な位置関係は、容器本体２における中皿３と塗布具収納部２２の位置関係に対応し、本実施態様のように上下の配置に限定されず、左右に配置してもよい。更に、後述するように、かかる領域１１と領域１２は厳密に区別されていなくてもよい。但し、塗布具収納部２２を被覆する領域１２は必須ではなく、省略しても良い。以下の実施例においても同様とする。
【００２１】
保護シート１の領域１１は、化粧料を塗布する部位を象った視認部１３と、該視認部１３を除く余白部分に形成された遮蔽部１４により構成されている。本実施態様では、視認部１３は目を閉じた状態のまぶたの形状を模している。視認部１３は、視認部１３を通して中皿３に収納された化粧料が視認可能なように、透明（無色透明、有色透明）に形成され、さらに、化粧料の種類を表す文字等情報１３１（例：１.ハリツヤベース、２.スキンクリアカラー、３.シャドウライナー）が記載されている。
【００２２】
遮蔽部１４は、領域１１から視認部１３を除く余白部分に形成されており、遮蔽部１４の下に位置する化粧料が遮蔽部１４を通して視認できないよう、あるいは、視認が困難なように、不透明もしくは半透明に形成されている。そして、本実施態様では、遮蔽部１４には視認部１３の下部に沿う形で、睫毛を模した模式図１５が描かれており、かかる模式図１５により視認部１３がまぶたを模した形状であることを使用者に容易に認識させることができる。
【００２３】
保護シート１の領域１２は、その下の塗布具収納部２２に収納された化粧料塗布具が視認できるよう、透明（無色透明、有色透明）に形成することが好ましい。そして、領域１２には、塗布具収納部２２に収納される化粧料塗布具を説明する文字等情報１６１（例：１.チップ、２.ブラシ、３.ライナーブラシ）を含む模式図１６が記載されている。なお、これらの模式図１６、文字等情報１６１については、記載することなく省略しても良い。
【００２４】
図４は保護シート１が蓋部２３を開けた状態で容器本体２上に載置された状態を示す。図に示すように、保護シート１が載置された状態では、視認部１３を通してその下の収納部３１ａ、３１ｂ、３１ｃの一部が視認可能となっている。そして、視認可能な収納部３１のまわりは遮蔽部１４によって隠された状態となっている。また、保護シート１の領域１２を通してその下の塗布具収納２２に収納された化粧料塗布具４（図示せず）が視認可能となっている。
【００２５】
本実施態様の視認部１３はまぶたの形状を模しており、視認部１３から見える収納部３１ａ、３１ｂ、３１ｃに収納された化粧料は塗布部位に対応した配置となっているため、各化粧料をそれぞれどの部位に塗布すれば良いか、使用者は直感的に把握することができる。すなわち、上部の収納部３１ａの化粧料はまぶたの上部に、中央の収納部３１ｂの化粧料はまぶたの中央に、下部の収納部３１ｃの化粧料はまぶたの下部にそれぞれ塗布すればよいことが分かる。そして、視認部１３の文字等情報１３１は、各収納部３１に収納されている化粧料にそれぞれ対応しているため、使用者は文字等情報１３１により化粧料の種類を確認しながら使用することができる。さらに、領域１２の文字等情報１６１および模式図１６により、適切な塗布具を適宜選択して使用することができる。
【００２６】
保護シート１は、差込片１１１が蓋部２３と容器本体２の間に差し込まれることにより取り付けられているが、保護シート１の取付方法はこれに限定されず、接着等のその他の公知の手段を用いてもよい。保護シート１は折線１１２で折り曲げ可能に形成されているため、化粧料の使用時には図１のように折線１１２部分を支点として保護シート１を上方へと捲るようにして収納部３１、塗布具収納部２２を外部に露出させればよい。
【００２７】
保護シート１は１枚のシート状の素材より一体に形成されており、その材質については、ある程度の強度と折り曲げ柔軟性があれば特に限定はないが、経済性の面からはプラスチックが好ましく、透明であることが美観の面で特に好ましい。具体的には、ポリスチレン、ポリプロピレン、ポリエチレンテレフタレート、ポリエチレンナフタレート等、またこれらの再生樹脂を挙げることができるが、ポリエチレンテレフタレート、ポリエチレンナフタレートが特に好ましい。また、これらの材質のシートはその表面に粉体付着防止処理を施したものであってもよい。
【００２８】
図５（ａ）〜（ｃ）は、本考案のメイクアップ化粧料容器であって、内容物がシャドウライナー、ハイライトおよびチークの組み合わせになる保護シート１と中皿３の実施例を示す。図５（ｃ）に示すように、中皿３は３箇所の収納部３１ａ、３１ｂ、３１ｃを備え、それらの収納部３１は仕切壁３２により互いに仕切られている。本実施態様では、適用部位（まぶたと頬）の異なる化粧料が各収納部に収納されており、具体的には、収納部３１ａにはまぶた用の「シャドウライナー」が、収納部３２ｂには頬用の「ハイライト」が、収納部３２ｃには頬用の「チーク」がそれぞれ収納されている。
【００２９】
図５（ａ）に示すように、本態様の保護シート１は、容器本体上に載置されたときに中皿３を被覆する領域１１部分に複数の視認部１３を備え、それら複数の視認部１３を除く余白部分に遮蔽部１４が設けられている。複数の視認部１３として、まぶたの下部を象った視認部１３ａ、頬の上部を象った視認部１３ｂ、さらに頬の中央を象った視認部１３ｃが上から順次設けられている。なお、視認部１３ｃのように、完全に周囲を遮蔽部１４に囲まれず、その一部が遮蔽部１４の縁部分にかかっていてもよい。また、視認部１３および遮蔽部１４は領域１１の全域に形成される必要はなく、中皿３の収納部３２を被覆可能に形成すればよい。よって、図のように遮蔽部１４の周りを領域１２から連続して形成し、領域１２と同様に透明（無色透明、有色透明）に形成してもよい。そして、視認部１３には化粧料の種類を表す文字等情報１３１（例：１.シャドウライナー、２.ハイライト、３.チーク、化粧料の塗布方向を示す矢印）が記載されている。
【００３０】
本実施態様では、遮蔽部１４には視認部１３ａの下部に沿う形で、睫毛を模した模式図１５ａが描かれており、視認部１３ａがまぶたを模した形状であることを使用者に容易に認識させることができる。さらに、視認部１３ｂおよび視認部１３ｃの左側には鼻を横から模式的に表した模式図１５ｂが描かれており、視認部１３ｂおよび視認部１３ｃが頬を模した形状であることを使用者に容易に認識させることができる。また、領域１２には塗布具収納部２２に収納される化粧料塗布具を説明する文字情報１６１を含む模式図１６が記載されている。
【００３１】
図５ｂに示すように、保護シート１の領域１１が中皿３を覆うように載置した状態で、視認部１３ａを通してその下の収納部３１ａの一部が、視認部１３ｂを通してその下の収納部３１ｂの一部が、さらに、視認部１３ｃを通してその下の収納部３１ｃの一部が視認可能となっている。そして、視認可能な収納部３１ａ〜ｃのまわりは遮蔽部１４によって隠された状態となっている。また、保護シート１の領域１２を通してその下の塗布具収納部２２に収納された化粧料塗布具４（図示せず）が視認可能となっている
【００３２】
本実施態様の視認部１３ａ〜ｃは、それぞれまぶたもしくは頬の形状を模しているため、視認部１３ａ〜ｃから見える収納部３１ａ、３１ｂ、３１ｃに収納された化粧料をそれぞれどの部位に塗布すれば良いか直感的に把握することができる。すなわち、上部の収納部３１ａの化粧料はまぶたの下部に、中央の収納部３１ｂの化粧料は頬の上部に、下部の収納部３１ｃの化粧料は頬の中央にそれぞれ塗布すればよいことが分かる。そして、視認部１３ａ〜ｃの文字等情報１３１は、各収納部３１ａ〜ｃに収納されている化粧料にそれぞれ対応しているため、使用者は文字等情報１３１により化粧料の種類を確認しながら使用することができる。さらに、領域１２の文字等情報１６１および模式図１６により、適切な塗布具を適宜選択して使用することができる。
【００３３】
図６（ａ）〜（ｃ）は、本考案のメイクアップ化粧料容器であって、内容物が種類の異なる唇用化粧料の組み合わせになる保護シート１と中皿３の実施例を示す。図６（ｃ）に示すように、中皿３は１箇所の収納部３１を備え、かかる収納部３１の中に３種類の化粧料（Ｌ：リップライナー、Ｒ：口紅、Ｇ：グロス）が区分けされて充填されている。本実施態様における化粧料の充填方法は、仕切壁を有さない１箇所の収納部に複数種類の化粧料を区分けして充填するための公知の方法を採用することができる。なお、本実施態様では収納部は仕切壁を有さないが、仕切壁を備えたものを排除するものではない。
【００３４】
本実施態様において、中皿３における各化粧料の配置については、各化粧料の実際の使用部位に対応することなく、化粧料がもっとも強調して塗布される部位に対応するように配置されている。すなわち、実際には口紅ＲやグロスＧは唇全体にわたって塗布され、リップライナーＬは唇の縁部に塗布される。しかしながら、リップライナーＬとグロスＧの収納部３１内の配置は、メイクアップ効果を引き立たせるためにもっとも強調して塗布する部位に対応するように、リップライナーＬは唇の上部、グロスＧは唇の中央に位置するようにそれぞれ配置されている。このように、化粧料をもっとも強調して塗布する部位に対応させることにより、使用者はどの部位に強調して塗布すれば良いか直感的に把握することができる。なお、このような各化粧料の強調する部位については、保護シート１との組み合わせにより使用者に適切に指示を与えることができる。
【００３５】
図６（ａ）に示すように、本態様の保護シート１は、容器本体上に載置されたときに中皿３を被覆する領域１１と、塗布具収納部２２を被覆する領域１２が明確に区別されることなく連続して形成されている。すなわち、視認部１３と模式図１６の余白部分には遮蔽部１４が連続して設けられている。本実施態様の視認部１３は、唇の形状を象って形成されており、該視認部１３には、化粧料の種類を表す文字等情報１３１（例：１.リップライナー、２.口紅、３.グロス、上唇と下唇の境を表す線）が記載されている。
【００３６】
遮蔽部１４には、視認部１３の左右上辺に沿う形で、化粧料の塗布方向を示した模式図１５が描かれており、使用者に化粧料の塗布方向を容易に認識させることができる。また、領域１２には塗布具収納部２２に収納される化粧料塗布具を説明する文字等情報１６１を含む模式図１６が記載されている。なお、模式図１６と、模式図１６に含まれる文字等情報１６１については、記載することなく省略しても良い。
【００３７】
図６ｂに示すように、保護シート１の領域１１が中皿３を覆うように載置した状態では、視認部１３を通してその下の収納部３１の一部が視認可能となっている。そして、視認可能な収納部３１のまわりは遮蔽部１４によって隠された状態となっている。そして、使用者は視認部１３を通して見る収納部３１内の化粧料の配置に応じて、どの部位に強調して塗布すれば良いか直感的に把握することができる。
【符号の説明】
【００３８】
１……保護シート
２……容器本体
３……中皿
４……化粧料塗布具
１１……領域
１２……領域
１３……視認部
１３ａ……視認部
１３ｂ……視認部
１３ｃ……視認部
１４……遮蔽部
１５……模式図
１５ａ……模式図
１５ｂ……模式図
１６……模式図
２１……中皿収納部
２２……塗布具収納部
２３……蓋部
２４……係止部
３１……収納部
３１ａ……収納部
３１ｂ……収納部
３１ｃ……収納部
３２……仕切壁
１１１……差込片
１１２……折線
１２１……凹部
１３１……文字等情報
１６１……文字等情報
２３１……鏡
２３２……係止フック
Ｌ……リップライナー
Ｒ……口紅
Ｇ……グロス
【図１】
0003194237.tif 000003
【図２】
0003194237.tif 000004
【図３】
0003194237.tif 000005
【図４】
0003194237.tif 000006
【図５】
0003194237.tif 000007
【図６】
0003194237.tif 000008
【手続補正書】
【提出日】平成26年9月4日(2014.9.4)
【手続補正１】
【補正対象書類名】実用新案登録請求の範囲
【補正対象項目名】全文
【補正方法】変更
【補正の内容】
【実用新案登録請求の範囲】
【請求項１】
複数種類の化粧料を充填可能な収納部と、少なくとも該収納部を被覆可能に形成された保護シートを備えたメイクアップ化粧料容器であって、該保護シートの収納部を被覆する部分には、化粧料を適用する部位を象った視認部と、該視認部を除く余白部分に形成された遮蔽部が設けられ、該視認部は収納部内の化粧料を視認できるように形成され、該遮蔽部は収納部内の化粧料が視認できないように、あるいは視認が困難なように形成されたことを特徴とするメイクアップ化粧料容器。
【請求項２】
前記視認部は、視認部を通して前記収納部に収納された化粧料が視認可能なように、透明（無色透明、有色透明）に形成されていることを特徴とする請求項１に記載のメイクアップ化粧料容器。
【請求項３】
前記遮蔽部は、遮蔽部を通して前記収納部に収納された化粧料が視認できないように、あるいは視認が困難なように、不透明もしくは半透明に形成されていることを特徴とする請求項１または２に記載のメイクアップ化粧料容器。
【請求項４】
前記収納部を備えた中皿における複数種類の化粧料の配置が、各化粧料のそれぞれの使用部位に対応していることを特徴とする請求項１ないし３のいずれか１項に記載のメイクアップ化粧料容器。
【請求項５】
前記収納部を備えた中皿における複数種類の化粧料の配置が、各化粧料のもっとも強調して塗布する部位に対応していることを特徴とする請求項１ないし３のいずれか１項に記載のメイクアップ化粧料容器。
【請求項６】
前記視認部に化粧料の種類を表す文字情報が記載されたことを特徴とする請求項１ないし５のいずれか１項に記載のメイクアップ化粧料容器。
【請求項７】
前記保護シートが、中皿を被覆する領域と、容器本体の塗布具収納部を被覆する領域を備えたことを特徴とする請求項１ないし６のいずれか１項に記載のメイクアップ化粧料容器。
【請求項８】
前記容器本体の塗布具収納部を被覆する領域には、化粧料塗布具を説明する文字情報及び模式図が記載されていることを特徴とする請求項７に記載のメイクアップ化粧料容器。